(57)【特許請求の範囲】
【請求項１】
筐体内に、
背面側に配置される熱交換器と、前記熱交換器の前面側に配置され前記筐体の背面側から前面側に送風する送風ファンと、前記熱交換器と前記送風ファンの間に配置されて前記送風ファンを駆動するファンモータと、前記ファンモータを固定するファンモータ取付台と、を備え、
前記ファンモータ取付台は、前記筐体の底面部を構成する底板に下端部が固定されると共に、前記筐体の天面に向かって略鉛直方向に設けられ、前記鉛直方向の途中で前記ファンモータを支持するファンモータ支持板と、前記ファンモータ支持板の上端部と前記筐体の前面部を構成する前面パネルとを接続固定する天面板と、により構成され、
前記ファンモータ支持板には、前記底板から略鉛直方向に伸びる複数の支柱と、前記支柱の上端部間を接続しかつ前記支柱の上端部から前後方向に突出する支柱水平面と、前記支柱水平面から下方に略垂直に曲がって前記前面パネルに対向する平面である支柱前平面と、前記支柱水平面に設けられ前記天面板の背面側端部と嵌合する嵌合部と、前記支柱前平面に設けられ前記天面板を固定するネジ穴と、が形成され、
前記天面板には、前記支柱前平面に平行かつ下方に伸びる形状で、前記ネジ穴の前面側の略同じ位置にネジ穴を設けたネジ固定片が形成され、
前記ファンモータ支持板の嵌合部に前記天面板の背面側端部が嵌合された状態にて、前記ネジ固定片が前記天面板の最も下方に位置すると共に、前記ファンモータ支持板の前記支柱前平面の前面側に前記天面板の前記ネジ固定片が位置することを特徴とする空気調和機の室外機。
【請求項２】
筐体内に、
背面側に配置される熱交換器と、前記熱交換器の前面側に配置され前記筐体の背面側から前面側に送風する送風ファンと、前記熱交換器と前記送風ファンの間に配置されて前記送風ファンを駆動するファンモータと、前記ファンモータを固定するファンモータ取付台と、を備え、
前記ファンモータ取付台は、前記筐体の底面部を構成する底板に下端部が固定されると共に、前記筐体の天面に向かって略鉛直方向に設けられ、前記鉛直方向の途中で前記ファンモータを支持するファンモータ支持板と、前記ファンモータ支持板の上端部と前記筐体の前面部を構成する前面パネルとを接続固定する天面板と、により構成され、
前記ファンモータ支持板には、前記底板から略鉛直方向に伸びる複数の支柱と、前記支柱の上端部間を接続しかつ前記支柱の上端部から前後方向に突出する支柱水平面と、前記支柱水平面から下方に略垂直に曲がって前記前面パネルに対向する平面である支柱前平面と、前記支柱水平面に設けられ前記天面板の背面側端部と嵌合する嵌合部と、前記支柱前平面に設けられ前記天面板を固定するネジ穴と、が形成され、
前記天面板には、前記支柱前平面に平行かつ下方に伸びる形状で、前記ネジ穴の前面側の略同じ位置にネジ穴を設けたネジ固定片が形成され、
前記ファンモータ支持板の嵌合部に前記天面板の背面側端部が嵌合された状態にて、前記ファンモータ支持板の前記支柱前平面の前面側に前記天面板の前記ネジ固定片が位置し、
前記ファンモータ支持板の嵌合部は、前記支柱水平面の左右方向の中央部分を断面Ｌ字状に切り起こして立ち上がり部と水平板片を成すと共に、前記立ち上がり部以外の前面側と左右両側に開口を有する形状であり、前記天面板の前記背面側端部が前記水平板片の下側に位置することで、前記天面板の上下方向の移動が規制されることを特徴とする空気調和機の室外機。
【請求項３】
筐体内に、
背面側に配置される熱交換器と、前記熱交換器の前面側に配置され前記筐体の背面側から前面側に送風する送風ファンと、前記熱交換器と前記送風ファンの間に配置されて前記送風ファンを駆動するファンモータと、前記ファンモータを固定するファンモータ取付台と、を備え、 
前記ファンモータ取付台は、前記筐体の底面部を構成する底板に下端部が固定されると共に、前記筐体の天面に向かって略鉛直方向に設けられ、前記鉛直方向の途中で前記ファンモータを支持するファンモータ支持板と、前記ファンモータ支持板の上端部と前記筐体の前面部を構成する前面パネルとを接続固定する天面板と、により構成され、
前記ファンモータ支持板には、前記底板から略鉛直方向に伸びる複数の支柱と、前記支柱の上端部間を接続しかつ前記支柱の上端部から前後方向に突出する支柱水平面と、前記支柱水平面から下方に略垂直に曲がって前記前面パネルに対向する平面である支柱前平面と、前記支柱水平面に設けられ前記天面板の背面側端部と嵌合する嵌合部と、前記支柱前平面に設けられ前記天面板を固定するネジ穴と、が形成され、
前記天面板には、前記支柱前平面に平行かつ下方に伸びる形状で、前記ネジ穴の前面側の略同じ位置にネジ穴を設けたネジ固定片が形成され、
前記ファンモータ支持板の嵌合部に前記天面板の背面側端部が嵌合された状態にて、前記ファンモータ支持板の前記支柱前平面の前面側に前記天面板の前記ネジ固定片が位置し、
前記ファンモータ支持板または前記天面板は、前記ファンモータ支持板に対して前記天面板の左右方向の移動を規制するガイド部を備え、
前記ガイド部は、前記ファンモータ支持板の前記支柱前平面で、その前面側に配置される前記ネジ固定片の外形の少なくとも左右に設けられ、前面側に突出する形状であって、左右の前記ガイド部の間に前記ネジ固定片が配置されることで前記ネジ固定片の左右方向の移動を規制して、前記ファンモータ支持板に対する前記天面板の左右方向の移動を規制することを特徴とする空気調和機の室外機。
【請求項４】
前記ガイド部は、前記支柱前平面を前面側に切り起こして形成されることを特徴とする請求項３に記載の空気調和機の室外機。
【請求項５】
筐体内に、
背面側に配置される熱交換器と、前記熱交換器の前面側に配置され前記筐体の背面側から前面側に送風する送風ファンと、前記熱交換器と前記送風ファンの間に配置されて前記送風ファンを駆動するファンモータと、前記ファンモータを固定するファンモータ取付台と、を備え、 
前記ファンモータ取付台は、前記筐体の底面部を構成する底板に下端部が固定されると共に、前記筐体の天面に向かって略鉛直方向に設けられ、前記鉛直方向の途中で前記ファンモータを支持するファンモータ支持板と、前記ファンモータ支持板の上端部と前記筐体の前面部を構成する前面パネルとを接続固定する天面板と、により構成され、
前記ファンモータ支持板には、前記底板から略鉛直方向に伸びる複数の支柱と、前記支柱の上端部間を接続しかつ前記支柱の上端部から前後方向に突出する支柱水平面と、前記支柱水平面から下方に略垂直に曲がって前記前面パネルに対向する平面である支柱前平面と、前記支柱水平面に設けられ前記天面板の背面側端部と嵌合する嵌合部と、前記支柱前平面に設けられ前記天面板を固定するネジ穴と、が形成され、
前記天面板には、前記支柱前平面に平行かつ下方に伸びる形状で、前記ネジ穴の前面側の略同じ位置にネジ穴を設けたネジ固定片が形成され、
前記ファンモータ支持板の嵌合部に前記天面板の背面側端部が嵌合された状態にて、前記ファンモータ支持板の前記支柱前平面の前面側に前記天面板の前記ネジ固定片が位置し、
前記ネジ固定片が配置される付近の前記支柱前平面には、前記支柱前平面を貫通する通気穴が設けられていることを特徴とする空気調和機の室外機。
【請求項６】
前記支柱前平面は前記支柱の上端部間を接続する平面であり、前記支柱水平面は前記支柱前平面の上端部から背面側に突出し、さらにその背面端に前記熱交換器の上端部を固定する熱交換器上端固定部を備えたことを特徴とする請求項１乃至５のいずれか１項に記載の空気調和機の室外機。
【発明の詳細な説明】
【技術分野】
【０００１】
この発明は、空気調和機の室外機に関し、特に、ファンモータを支持するファンモータ取付台の構造に関するものである。
【背景技術】
【０００２】
空気調和機の室外機は、筐体の底面部を構成する底板上に直立する仕切板によって、筐体内部を左右方向に、送風ファンや熱交換器が位置する送風機室と、圧縮機や冷媒配管が位置する機械室とに区切られている。そして、主としてその機械室の上部に、当該空気調和機を運転制御するための電気電子部品が配置されている。
【０００３】
送風機室には、水平断面が略Ｌ字形状を呈した熱交換器が、筐体内の背面側から機械室とは反対側の側面側にかけて配置されており、背面側に位置する熱交換器の前方、即ち筐体正面寄りに送風ファンが配置されている。そして、送風ファンの駆動源であるファンモータが、送風ファンの後方でかつ熱交換器の前方の位置にて、ファンモータ取付台に取り付け固定されている。
【０００４】
ファンモータ取付台は、ファンモータ同様に送風ファンと熱交換器との間で、略鉛直方向に筐体の底板上から天面に向かってほぼ直立した状態で設けられており、鉛直方向の途中、略中央の位置でファンモータを支持している。ファンモータから前方に突出しているモータ回転軸が、ファンモータの回転駆動力を送風ファンに伝達すべく送風ファンに接続されており、ファンモータ取付台は、ファンモータだけでなく、ファンモータと接続する送風ファンも支持している。
【０００５】
ファンモータや送風ファンを支持するファンモータ取付台は、その下端部を筐体の底板にネジ固定されると共に、その上端部にて熱交換器の上部に係合されることで固定される。
【０００６】
ファンモータ取付台の上端部を熱交換器の上部に固定するにあたっては、ファンモータ取付台とは別体の掛止部をファンモータ取付台の上端部にネジ固定する構成の空気調和機の室外機がある。この掛止部は、ファンモータ取付台の上部両端からフランジが垂下され、そのフランジに、熱交換器の上端が挿通する切欠部を設けた構成である。（例えば、特許文献１参照。）また、熱交換器の上端を掛止する取付板をファンモータ取付台の上端に装着し、上方からネジ固定する構成のものもあった。（例えば、特許文献２参照。）
【先行技術文献】
【特許文献】
【０００７】
【特許文献１】特開２０１１−３８６５７号公報（００２８欄、図２参照）
【特許文献２】実公平３−３２９０１号公報（第３図参照）
【発明の概要】
【発明が解決しようとする課題】
【０００８】
従来の空気調和機の室外機は、ファンモータ取付台の上部において、その背面側で熱交換器の上部に掛止する構成であり、その前面側はどこにも固定されてなかった。
【０００９】
また、送風機室内で、ファンモータ及び送風ファンの上方は室外機筐体の天面を担う天面パネルで覆われる構成である。例えば、当該室外機が倉庫内で段積みされるなど天面パネルの上方から荷重が加えられた時、天面パネルの裏面で支えるものがないので、荷重の大きさによっては天面パネルが変形するという問題があった。
【００１０】
また、特許文献１では、ファンモータ取付台の上端部において、ファンモータ取付台と熱交換器とを固定する作業で、熱交換器の上端が挿通する切欠部を有する掛止部をファンモータ取付台の上端部に固定する際に、前方及び側面方向からファンモータを支持する支柱にネジ固定する必要があった。この作業では、片手で掛止部をネジ穴に位置合わせし、もう一方の手で前方向及び横方向からネジ固定する必要があり、作業効率が悪いという問題点があった。
【００１１】
また、特許文献２では、モータ取付台の上端部に、天板と熱交換器上端との間に挟持される取付板を固定する際、上方からネジ固定する構成であり、真上からドライバーを当ててネジを止めしなければならない。そのため、作業者が作業台に乗る必要が生じ、またネジ穴を見ながらの固定も難しく、作業効率が悪かった。例えば上下に送風ファンが二つ配置されるような全体の高さの大きい空気調和機の室外機の場合など、取付作業が特に困難となり、生産性が悪いという問題点があった。
【００１２】
この発明は、上記のような課題を解決するためになされたもので、天面パネルの上方から大きな荷重がかかっても天面パネルが変形するのを防止でき、さらに、ファンモータ取付台の取付作業性を改善して、生産性が高められる空気調和機の室外機を提供することを目的とする。
【課題を解決するための手段】
【００１３】
この発明における空気調和機の室外機は、筐体内に、背面側に配置される熱交換器と、前記熱交換器の前面側に配置され前記筐体の背面側から前面側に送風する送風ファンと、前記熱交換器と前記送風ファンの間に配置されて前記送風ファンを駆動するファンモータと、前記ファンモータを固定するファンモータ取付台と、を備え、前記ファンモータ取付台は、前記筐体の底面部を構成する底板に下端部が固定されると共に、前記筐体の天面に向かって略鉛直方向に設けられ、前記鉛直方向の途中で前記ファンモータを支持するファンモータ支持板と、前記ファンモータ支持板の上端部と前記筐体の前面部を構成する前面パネルとを接続固定する天面板と、により構成され、前記ファンモータ支持板には、前記底板から略鉛直方向に伸びる複数の支柱と、前記支柱の上端部間を接続しかつ前記支柱の上端部から前後方向に突出する支柱水平面と、前記支柱水平面から下方に略垂直に曲がって前記前面パネルに対向する平面である支柱前平面と、前記支柱水平面に設けられ前記天面板の背面側端部と嵌合する嵌合部と、前記支柱前平面に設けられ前記天面板を固定するネジ穴と、が形成され、前記天面板には、前記支柱前平面に平行かつ下方に伸びる形状で、前記ネジ穴の前面側の略同じ位置にネジ穴を設けたネジ固定片が形成され、前記ファンモータ支持板の嵌合部に前記天面板の背面側端部が嵌合された状態にて、前記ネジ固定片が前記天面板の最も下方に位置すると共に、前記ファンモータ支持板の前記支柱前平面の前面側に前記天面板の前記ネジ固定片が位置するものである。
【発明の効果】
【００１４】
本発明によれば、天面パネルの上方からの大きな荷重がかかっても天面パネルが変形するのを防止できると共に、ファンモータ取付台の取付作業性が向上し、生産性を高めることが可能な空気調和機の室外機を提供することができる。
【図面の簡単な説明】
【００１５】
【図１】この発明の実施の形態１における空気調和機の室外機を示す分解斜視図である。
【図２】実施の形態１に係るファンモータ取付台およびその周辺を示す側面構成図である。
【図３】実施の形態１に係るファンモータ取付台とファンモータを示す分解斜視図である。
【図４】実施の形態１に係るファンモータ支持板の上端部と天面板を拡大して示す分解斜視図である。
【図５】実施の形態１に係るファンモータ支持板と天面板の嵌合部を示す説明図である。
【図６】実施の形態１に係り、図４のＶ−Ｖ線断面図である。
【図７】実施の形態１に係るファンモータ支持板の上端部に天面板を嵌合させた状態を前面側から示す正面図である。
【図８】実施の形態２に係るファンモータ支持板と天面板の嵌合部を示す説明図である。
【図９】実施の形態２に係るファンモータ支持板と天面板の嵌合部の他の構成例を示す断面図である。
【図１０】実施の形態３に係り、ガイド部の構成例であって、ファンモータ支持板の上端部に天面板を嵌合させた状態を前面側から示す正面図である。
【図１１】実施の形態３に係り、ガイド部の他の構成例であって、ファンモータ支持板と天面板の嵌合する動きを上面から示す説明図である。
【図１２】実施の形態４に係り、ファンモータ支持台の構成例であって、ファンモータ支持板の上端部に天面板を嵌合させた状態を前面側から示す正面図である。
【図１３】実施の形態４に係り、ファンモータ支持台の他の構成例であって、ファンモータ支持板の上端部と天面板を拡大して示す分解斜視図である。
【発明を実施するための形態】
【００１６】
実施の形態１．
以下、この発明の実施の形態１における空気調和機の室外機について、図面を用いて詳細に説明する。
【００１７】
図１は、この発明の実施の形態１における空気調和機の室外機（以降、単に室外機と表記する場合もある）を示す分解斜視図である。図１に示すように、複数のパネル、例えば前面パネル１、側面パネル２、天面パネル３、底板８によって、室外機の略直方体形状の筐体が構成される。これらはいずれも板金製である。前面パネル１は水平断面が略Ｌ字状であり、筐体の前面部を構成すると共に、側面パネル２の反対側の側面部も構成する。天面パネル３は室外機筐体の天面を構成する。また、背面側には熱交換器（後記）が配置される。
【００１８】
室外機の筐体内部には送風機室４と機械室５があり、各室は直立状に設置されているセパレータ６によって左右に分けられる。室外機を正面から見て、左側に送風機室４が、右側に機械室５が位置する。また、室外機内部の複数の部品は脚部７を有する底面の底板８の上に保持されている。室外機は屋外に設置されるもので、屋内に設置される室内機（図示なし）と冷媒配管を介して接続されて冷媒回路が形成され、室内機が取り付けられた室内空間の冷房や暖房を行う空気調和機を構成する。
【００１９】
送風機室４には、背面側に配置される熱交換器１２と、この熱交換器１２の前面にプロペラファンで構成される送風ファン１３を取り付けたファンモータ１４を保持するファンモータ取付台１５が設けられている。ファンモータ１４は熱交換器１２と送風ファン１３の間に配置され、送風ファン１３を回転駆動する。ファンモータ取付台１５は、下端部がネジで底板８に固定され、天面パネル３に向かって略鉛直方向に設けられ、鉛直方向の途中でファンモータ１４を支持する。また、熱交換器１２は水平断面が略Ｌ字状で、側面側平面部１２ａとカーブ状の角部１２ｂと背面側平面部１２ｃにより構成されている。ファンモータ１４は背面側平面部１２ｃの前面側に位置している。
【００２０】
送風ファン１３が回転することにより、室外機の背面側から熱交換器１２を通過して室外機内に空気（外気）が流入し、その空気は、送風ファン１３を通過し、室外機の前面側に流出する。これにより、例えば冷房運転中においては、熱交換器１２内の冷媒は空気によって冷却され、熱交換器１２を通過した空気は冷媒と熱交換することで加熱されて室外機外に流れていく。
【００２１】
機械室５には、圧縮機９、冷媒配管１０が設けられる。室内機（図示なし）から送られた冷媒は、圧縮機９において圧縮され、冷媒配管１０を通り、熱交換器１２に送られる。なお、筐体内の上部には、当該室外機の各部品への電力供給等を行う電気品１１が配置されている。
【００２２】
ここで、図１に示すように、この実施の形態の説明においては、前面パネル１の正面方向を前面側として、その反対方向を背面側とする。そして、前面側と背面側を結ぶ方向を前後方向と呼ぶ。また、その正面から見て機械室５が位置する方向を右側、送風機室４が位置する方向を左側とする。また、前面側を正面側や前方、背面側を後方、右側を右方向、左側を左方向と説明する場合もある。
【００２３】
図２は、実施の形態１に係るファンモータ取付台１５およびその周辺を示す側面構成図である。前面パネル１の側面部、側面パネル２、熱交換器１２の側面側平面部１２ａと角部１２ｂ、及びセパレータ６を取り除いた送風機室４において、左方向から右方向を見たときの側面構成を示す。また、図３は実施の形態１に係るファンモータ取付台１５とファンモータ１４を示す分解斜視図である。
【００２４】
ファンモータ取付台１５は、別体であるファンモータ支持板１６と天面板１７の２つの部材から構成され、室外機の組立工程にてファンモータ支持板１６に天面板１７が固定される。
【００２５】
ファンモータ支持板１６は、その下端部に形成される底板８との取付部１６ａ、底板８から略鉛直方向に伸びる支柱部１６ｂ、支柱部１６ｂの鉛直方向の途中に形成されるモータ支持面１５ａ、支柱部１６ｂの背面側で熱交換器１２ｃの上端を固定する熱交換器上端固定部１６ｄ、支柱部１６ｂから前後方向、ここでは背面側に伸びる水平な面であって熱交換器上端固定部１６ｄに接続される支柱水平面１６ｍから成る。さらに支柱部１６ｂは、図３に示すように、複数本、ここでは２本の鉛直方向に伸びる支柱１６ｉと、支柱１６ｉの鉛直方向の複数箇所で、２本の支柱１６ｉに横方向に架け渡され、支柱部１６ｂの左右方向の強度を強化する支柱支え１６ｋと、支柱部１６ｂの上端部で２本の支柱１６ｉを接続し、前面パネル１と対向する平面である支柱前平面１６ｊから成る。支柱前平面１６ｊは、支柱水平面１６ｍから下方に略垂直に曲がる平面であり、支柱水平面１６ｍの背面端に熱交換器上端固定部１６ｄが形成されている。
【００２６】
図２，図３に示すように、熱交換器上端固定部１６ｄは、下向きに開口する断面が略Ｕ字状の掛止部を有する。この掛止部によって熱交換器１２の背面側平面部１２ｃの上端部を挟持することで、熱交換器１２の背面側平面部１２ｃの上端部がファンモータ支持板１６の上端部に固定される。ファンモータ取付台１５の前面側は、天面板１７の下向きに折り返されたフランジ状の前端と前面パネル１の上端部とがネジ１ａ（図２参照）によって固定されている。
【００２７】
図２に示した天面板１７の上部には、例えばポリプロピレンよりなる緩衝材１８が固着される。この緩衝材１８は図２以外では省略しているが、天面パネル３と天面板１７との間に介在する。
【００２８】
送風機室４を側面から見た場合、ファンモータ支持板１６の背面側には熱交換器１２の背面側平面部１２ｃが位置する。このため、ファンモータ支持板１６の背面側では、室外機の上方から力がかかったとしても、上下方向の強度は確保されている。一方、ファンモータ支持板１６の前面側は送風ファン１３を設けた通風路であり、空間が広く形成されている。この実施の形態に示す室外機では、この広い空間の上部に、前面パネル１とファンモータ支持板１６の上端部とを接続固定する天面板１７が設けられている。天面板１７と前面パネル１，および天面板１７とファンモータ支持板１６をそれぞれネジ固定することで、ファンモータ支持板１６を前後方向に支えることができる。また、天面板１７は天面パネル３の下側で、天面パネル３の平面に沿うように設けているので、天面パネル３は下側から天面板１７によって補強される。このため、段積み等で天面パネル３の上方から荷重が加えられた時でも、天面パネル３が撓んだりへこんだりする変形を防止できる。天面板１７を設けたことで、室外機の上方からの荷重や衝撃に対して強い強度を有する室外機を提供できる。
【００２９】
また、天面板１７と天面パネル３との間に緩衝材１８を狭持しており、室外機の上方から加えられた荷重が緩衝材１８を介して室外機内に伝えられる。このため、室外機が局所的な衝撃を受けた場合に、その衝撃が緩和される。
【００３０】
なお、ファンモータ取付台１５としてファンモータ支持板１６と天面板１７とを一体で構成すると、天面板１７を含んだファンモータ取付台１５がＴ字状となり、室外機の縦方向の長さと同程度及び室外機の奥行き方向の長さと同程度の大きさを有するものとなる。このように立体的に大きな部品として構成すると、ファンモータ取付台１５の輸送時及び組立ラインでのデリバリー性が悪くなる。この実施の形態では、ファンモータ支持板１６と天面板１７とを別体とし、部品の輸送時及び組立ラインではデリバリー性のよい構成とする。そして、室外機の組立ラインで、底板８にファンモータ支持板１６を固定した後、ファンモータ支持板１６の上端部に天面板１７を取り付けて、ファンモータ取付台１５を形成する。
【００３１】
以下、ファンモータ支持板１６に天面板１７を取り付ける取付構造について説明する。図４は、ファンモータ支持板１６の上端部と天面板１７を拡大して示す分解斜視図である。図中、二点鎖線はファンモータ支持板１６に天面板１７を取り付けたときに一致する部分を結ぶ線である。図４のように、ファンモータ支持板１６と天面板１７は分割して構成される。ファンモータ支持板１６の上端部の背面側に形成された熱交換器上端固定部１６ｄよりも前面側に、天面板１７の上下方向の移動を規制するファンモータ支持板側嵌合部１６ｃを設ける。ファンモータ支持板側嵌合部１６ｃは天面板１７の背面側端部（以下、天面板側嵌合部１７ｂと称する）と嵌合する構成である。具体的には、ファンモータ支持板側嵌合部１６ｃは、支柱水平面１６ｍの左右方向の中央部の一部を、左右方向に所定の幅で断面がＬ字状となるように上方に切り起こして形成される。従って、ファンモータ支持板側嵌合部１６ｃは、Ｌ字状立ち上がり部１６ｑ（図５参照）とＬ字状水平板片１６ｐ（図５参照）で断面Ｌ字状を成し、Ｌ字状立ち上がり部１６ｑ以外の前面側および左右両側に開口を有する。このファンモータ支持板側嵌合部１６ｃに関しては、図５で詳細に記載する。
【００３２】
また、支柱部１６ｂの上端部の支柱前平面１６ｊに、天面板１７を固定するためのネジ穴１６ｅを、左右方向の中央部に１つ設ける。さらに、天面板固定用ネジ穴１６ｅの周辺の一部を、例えば背面側から前面側に、且つネジ穴１６ｅの方向に切り起こし、ガイド部１６ｆを形成する。ガイド部１６ｆは、天面板１７のネジ固定片１７ｃ（後述）が固定されたとき、ネジ固定片１７ｃの下端部の略半円形状の外形に沿った位置に、前面側に突出するように設けられる。即ち、ガイド部１６ｆはネジ固定片１７ｃの外形の固定位置に沿うように、下と左右にまたがって、前面側に突出して形成される。支柱前平面１６ｊには、ガイド部１６ｆを切り起こしたことによるガイド部切り起こし穴１６ｇが、ガイド部１６ｆの周囲に形成される。
【００３３】
天面板１７は、背面側で、天面パネル３の水平方向平面（以下、天面と記す）に略平行な天面板水平面１７ｍを有する。そして、天面板水平面１７ｍの背面側端部で左右方向の中央部に天面板側嵌合部１７ｂを有し、天面板側嵌合部１７ｂの背面側端面を、嵌合部背面側端面１７ａと称する。この実施の形態では、天面板側嵌合部１７ｂは、天面板水平面１７ｍの一部を形成する平面部であって、背面側端部で左右方向の略中央部に位置し、ファンモータ支持板１６に取り付けられたときにファンモータ支持板側嵌合部１６ｃに嵌め合わされる部分である。図では天面板側嵌合部１７ｂを点線で示す。嵌合部背面側端面１７ａは、天面板側嵌合部１７ｂの背面側端面に位置し、ここでは天面板水平面１７ｍの背面側端面の左右方向に略直線的の伸びる辺の一部である。また、天面板１７は、前面側に、少なくとも１個、ここでは３個の前面パネル固定用ネジ穴１７ｄを有する。
【００３４】
また、天面板１７は、ファンモータ支持板１６に設けた天面板固定用のネジ穴１６ｅの前面側に配置されるネジ固定片１７ｃを有する。ネジ固定片１７ｃは、天面板側嵌合部１７ｂの前面側で、天面水平面１７ｍから下方に分岐し、支柱部１６ｂの支柱前平面１６ｊに平行かつ下方に伸びる平面状の板片であり、ファンモータ支持板固定用ネジ穴１７ｅが略中央部に設けられる。ファンモータ支持板固定用ネジ穴１７ｅは、支柱前平面１６ｊに設けられた天面板固定用ネジ穴１６ｅと略同じ位置で、天面板固定用ネジ穴１６ｅよりも若干大きな穴で形成される。
【００３５】
図５は実施の形態１に係るファンモータ支持板１６と天面板１７の嵌合部を示す説明図である。図５（ａ）はファンモータ支持板１６に対して天面板１７がスライドする状態を、ファンモータ支持板側嵌合部１６ｃと天面板側嵌合部１７ｂの上方から見た上面図である。また、図５（ｂ）はファンモータ支持板側嵌合部１６ｃと天面板側嵌合部１７ｂの嵌合された状態を示す断面図である。図において、ファンモータ支持板側嵌合部１６ｃは断面が略Ｌ字形状であり、支柱水平面１６ｍに平行な部分であるＬ字状水平板片１６ｐと支柱水平面１６ｍに垂直な部分であるＬ字状立ち上がり部１６ｑで、断面Ｌ字形状を形成する。
【００３６】
送風機室４の組立工程では、熱交換器１２を底板８に固定した後、ファンモータ取付台１５を底板８に取り付ける。まず、ファンモータ取付台１５の一部を構成するファンモータ支持板１６を底板８に取り付ける。この時、熱交換器上端固定部１６ｄのＵ字状の部分に熱交換器１２の背面側平面部１２ｃの上端部を嵌め込んだ状態で、底板取付部１６ａにおいて底板８にネジにより固定する。次に、図５に示すように、ファンモータ支持板１６に対して天面板１７を前面側から背面側（矢印Ｆ方向）にスライドさせる。ファンモータ支持板１６に対して天面板１７を矢印Ｆ方向にスライドさせるとき、天面板水平面１７ｍの背面側端部である嵌合部背面側端面１７ａをファンモータ支持板側嵌合部１６ｃの前面側の開口に挿入し、Ｌ字状水平板片１６ｐの下側に天面板側嵌合部１７ｂをスライドさせる。
【００３７】
図５（ｂ）に示すように、嵌合部１６ｃのＬ字状水平板片１６ｐと支柱水平面１６ｍとの間の距離は、天面板水平面１７ｍの厚さよりも若干長くすれば、嵌合部背面側端面１７ａがファンモータ支持板側嵌合部１６ｃに嵌まりやすい。
【００３８】
このスライド時に、図４に示すネジ固定片１７ｃの外形の一部が凸形状のガイド部１６ｆに誘導され、ネジ固定片１７ｃが支柱前平面１６ｊに接し、天面板固定用ネジ穴１６ｅとファンモータ支持板固定用ネジ穴１７ｅがほぼ一致するように位置決めされる。
【００３９】
図６は図４のＶ−Ｖ線断面図であり、ファンモータ支持板１６に対して天面板１７を前面側から背面側にスライドさせ、ファンモータ支持板側嵌合部１６ｃと天面板側嵌合部１７ｂとを嵌合させた状態を示している。図中、Ａは天面板１７の自重によるモーメントを示し、位置Ｂは熱交換器１２の背面側平面部１２ｃの固定位置、位置Ｃは支柱前平面１６ｊの位置、位置Ｄは前面パネル１の固定位置、位置Ｅは天面板１７のネジ固定片１７ｃの分岐点である。
【００４０】
嵌合部１６ｃ、１７ｂで嵌合することによって天面板１７は上下方向の移動を規制されている。即ち、天面板側嵌合部１７ｂの上下方向の動きがファンモータ支持板側嵌合部１６ｃによって上から抑えられている。さらに、位置Ｃでは、支柱前平面１６ｊの前面側に、分岐点Ｅから下方に伸びたネジ固定片１７ｃが接している。このため、分岐点Ｅのまわりで天面板１７の自重によって生じるモーメントＡに対し、手を離しても安定してこの状態が保持される。
【００４１】
天面板１７は、天面板１７の自重によって支柱水平面１６ｍの上面と天面板水平面１７ｍの下面とが接した状態、及びネジ固定片１７ｃが支柱前平面１６ｊに接した状態で移動終了し、仮固定される。
【００４２】
このように、組立工程で、天面板１７を前面側から背面側にスライドさせるだけで簡単にファンモータ支持板側嵌合部１６ｃと天面板側嵌合部１７ｂとを嵌合させることができ、さらに手を離しても安定してその状態が保持されて天面板１７を仮固定できる。ここで、仮固定とは、手を離した状態でその装着状態を保持できることであり、その後ネジによってしっかりと固定する。天面板１７がファンモータ支持板１６に安定して仮固定されているので、作業者は両手を自由に使って、ファンモータ支持板固定用ネジ穴１７ｅと天面板固定用ネジ穴１６ｅに前面側からドライバーを当ててネジ固定することができる。なお、左右方向の位置合わせについて、以下に説明する。
【００４３】
図７は、実施の形態１に係るファンモータ支持板１６の上端部に天面板１７を嵌合させて仮固定した状態を前面側から示す正面図である。ガイド部１６ｆは、ファンモータ支持板１６の支柱前平面１６ｊにおいて、ネジ固定片１７ｃの外形の少なくとも左右両側に設けられ、ネジ穴１６ｅの方向に切り起こされて前面側に突出する形状で、ネジ固定片１７ｃの前後のスライド方向を誘導する。天面板１７をスライドさせる際、ガイド部１６ｆにネジ固定片１７ｃの外形がスライドしてネジ固定片１７ｃの固定位置に位置決めされる。ガイド部１６ｆの内側に天面板１７のネジ固定片１７ｃが固定されることで、ネジ固定片１７ｃの左右方向Ｗの動きが規制され、ファンモータ支持板１６に対する天面板１７の左右方向Ｗの位置決めが正確になされる。
【００４４】
また、ネジ固定片１７ｃは、ファンモータ支持板１６の支柱前平面１６ｊに平行で下方に伸びる板片で構成され、ここでは天面板１７をファンモータ支持板１６の嵌合部１６ｃに嵌合した状態で、ネジ固定片１７ｃが天面板１７の最も下方に位置する。即ち、天面板１７をファンモータ支持板１６に固定するネジ穴１６ｅ、１７ｅが、前面パネル固定用ネジ穴１７ｄよりも下方に位置する。天面板１７をファンモータ支持板１６に仮固定した状態では、天面板固定用ネジ穴１６ｅとファンモータ支持板固定用ネジ穴１７ｅが略一致して位置決めされ、ネジ固定片１７ｃのネジ穴１７ｅが前面側に何も障害物のない位置に配置されて、前面側から見たときにネジ穴１６ｅ、１７ｅが見える。このため、作業者は前面側からネジ穴１６ｅ、１７ｅを目視しながらドライバーを当てることができ、さらに天面板１７の取付作業性を改善できる。従来の上方からネジ固定する構成のように作業者は作業台に乗ることなく作業ができ、位置合わせされた状態で仮固定されているので、前方からネジ穴を見ながら両手を自由に使ってネジ固定でき、ファンモータ取付台１５の取付作業性が改善され、生産性を向上できる。
【００４５】
このように、実施の形態１では、ファンモータ取付台１５を２つの部材で構成し、室外機の組立作業工程でファンモータ支持板１６に天面板１７を固定したので、１つの立体的に大きなＴ字状の部材となって、ファンモータ取付台１５の輸送時及び組立ラインでのデリバリー性が悪化するのを防止することができる効果がある。
【００４６】
また、天面板１７を介してファンモータ支持板１６の上端部と前面パネル１とが接続固定されるので、ファンモータ取付台１５の上端部の取付状態を前後方向に支えることができる。
【００４７】
また、天面板１７で天面パネル３の裏側を支持するので、天面パネル３の上方から大きな荷重がかかっても天面パネル３が変形するのを防止することができる。
【００４８】
さらに、ファンモータ支持板１６の上端部に天面板１７を取り付ける際、天面板１７を前面側から背面側にスライドさせると、嵌合部１６ｃ，１７ｂ及びネジ固定片１７ｃによって天面板１７が仮固定されるため、手を離してもその状態が保持される安定的な仮固定が可能となる。
【００４９】
また、ファンモータ支持板１６に天面板１７を固定する作業では、作業者はファンモータ支持板１６に対して天面板１７を前面側から背面側にスライドさせ、ネジ固定片１７ｃに設けたネジ穴１７ｅ、１６ｅを、前面側から目視してネジ止めすることができる。全て前面側から作業することができるので、作業者が移動する必要がなく、室外機の組立作業性、生産性に優れる。
【００５０】
実施の形態２．
実施の形態１では、天面板１７をスライドさせる際に、断面Ｌ字状に切り起こしてファンモータ支持板側嵌合部１６ｃを形成し、Ｌ字の支柱水平面１６ｍの下側に、天面板水平面１７ｍの嵌合部背面側端面１７ａ及び天面板側嵌合部１７ｂをスライドさせることで上下方向の移動を規制する構成であった。この発明の実施の形態２では、天面板１７をスライドさせる際に、天面板１７の上下方向の移動を規制して、ファンモータ支持板１６に対して天面板１７を上下方向に位置合わせする嵌合部の別の構成例について説明する。
【００５１】
図８は、この発明の実施の形態２に係るファンモータ支持板１６と天面板１７の嵌合部を示す説明図である。図８（ａ）はファンモータ支持板１６に対して天面板１７をスライドさせる状態を、ファンモータ支持板側嵌合部２０と天面板側嵌合部２１の上方から見た上面図である。また、図８（ｂ）はファンモータ支持板側嵌合部２０と天面板側嵌合部２１の嵌合された状態を示す断面図である。ファンモータ支持板側嵌合部２０の左右方向の長さＬ３＞天面板側嵌合部２１の左右方向の長さＬ４とする。点線で示すファンモータ支持板側嵌合部２０の上面はファンモータ支持板１６の嵌合部２０を設ける部分の支柱水平面１６ｍと同一とし、ファンモータ支持板側嵌合部２０の前面側には嵌合部挿入穴２０ａを有する。一方、天面板側嵌合部２１は天面板１７の背面側端面に設けられ背面側に突出した板片で、上下方向において、天面板側嵌合部２１の上面は、天面板１７の嵌合部２１の前面側の天面板水平面１７ｍよりも下方に位置する。
【００５２】
ファンモータ支持板１６に対して天面板１７を矢印Ｆ方向にスライドさせる際に、嵌合部挿入穴２０ａに天面板側嵌合部２１を挿入し、図８（ｂ）に示すように、ファンモータ支持板側嵌合部２０の下面と天面板側嵌合部２１の上面とが接するように嵌合させる。この時、天面板側嵌合部２１の先端を、嵌合部挿入穴２０ａに対して、矢印Ｇで示すように若干下側に向かって挿入しスライドさせる。ファンモータ支持板側嵌合部２０の下面と天面板側嵌合部２１の上面とが接することで、天面板側嵌合部２１の上面がファンモータ支持板側嵌合部２０の下面で上方から抑えられ、天面板側嵌合部２１の上下方向の動きが規制される。この構成の嵌合部２０，２１及びネジ固定片１７ｃにより、図６で示した分岐点ＥのまわりのモーメントＡによる天面板１７の動きが抑制され、安定して仮固定される。
【００５３】
なお、ファンモータ支持板側嵌合部２０の左右方向の長さＬ３＞天面板側嵌合部２１ｂの左右方向の長さＬ４としたので、天面板１７をスライドさせる際、天面板側嵌合部２１を嵌合部挿入穴２０ａに挿入しやすい。
【００５４】
また、Ｌ３とＬ４を略同一で、若干Ｌ３＞Ｌ４となるように構成すれば、嵌合部挿入穴２０ａの左右の両縁に天面板側嵌合部２１の左右の両縁が誘導されて、ファンモータ支持板１６に対する天面板１７の左右方向の位置決めもなされる。このため、ファンモータ支持板１６に対する天面板１７の左右方向の移動を規制するための特別なガイド部（例えば、実施の形態１におけるガイド部１６ｆ）の形成を不要とすることができる。
【００５５】
また、図９は実施の形態２に係るファンモータ支持板１６と天面板１７の嵌合部の別の構成例を示す断面図である。図９はファンモータ支持板側嵌合部２２と天面板側嵌合部２３の嵌合された状態を示す。ファンモータ支持板側嵌合部２２は、支柱水平面１６ｍの左右方向の中央部の一部を上方に切り起こし、さらに切り起こした板片の前面側を下側に折り返して成る断面Ｊ字状で構成される。また、天面板側嵌合部２３は天面板１７の背面側端部に設けられ先端を上方に折り返して断面Ｌ字状に形成される。断面Ｊ字状の折り返し片２２ａとＬ字状の折り返し片２３ａの上下方向の長さは略同一である。支柱水平面１６ｍを切り起こしてファンモータ支持板側嵌合部２２を形成すると、ファンモータ支持板側嵌合部２２の前面側に切り起こしたことによる嵌合部切り起こし穴２２ｂが形成される。また、固定ネジ片１７ｃの下端部には、下端部の外形の形状に合わせて前面側に突出するガイド部１６ｆが支柱前平面１６ｊに設けられている。
【００５６】
ファンモータ支持板１６に天面板１７を前面側から背面側にスライドさせる際に、嵌合部切り起こし穴２２ｂに天面板側嵌合部２３を挿入し、図９に示すように、ファンモータ支持板側嵌合部２２のＪ字状折り返し片２２ａと天面板側嵌合部２３のＬ字状折り返し片２３ａを互いに引っ掛けた状態で嵌合する。この時、天面板側嵌合部２３の先端を、嵌合部切り起こし穴２２ｂに対して、矢印Ｈで示すように若干下側に向かって挿入しスライドさせる。ファンモータ支持板側嵌合部２２のＪ字状折り返し片２２ａと天面板側嵌合部２３のＬ字状折り返し片２３ａが嵌合することで、ファンモータ支持板１６に対して天面板１７が上下方向の移動を規制されて位置決めされる。
【００５７】
このような嵌合部２２，２３の構成でも、天面板１７の上下方向の移動が規制される。天面板１７の自重によって、天面板側嵌合部２３には上向きに力がかかるが、その上向きの力に対し、ファンモータ支持板側嵌合部２２は上方向から天面板側嵌合部２３を抑えている。この構成の嵌合部２２，２３により、図６で示した天面板１７の自重によるモーメントＡによって天面板１７が動くのを抑制でき、両手を離してもこの状態で安定して仮固定される。
【００５８】
ここでは図８及び図９で嵌合部の２つの構成例を示した。どちらの構成例でも、支柱水平面１６ｍに設けるファンモータ支持板側嵌合部２０，２２によって、天面板水平面１７ｍの上下方向の移動を規制して、ファンモータ支持板１６に対する天面板１７の仮固定の位置決めがなされる。
【００５９】
実施の形態３．
実施の形態１において、図７に示したガイド部１６ｆは、作業者がファンモータ支持板１６に対して天面板１７を前面側から背面側にスライドさせる際に、天面板１７の左右方向Ｗの移動を規制して位置決めする機能を有するものであるが、図７に示すガイド部１６ｆの構成に限るものではない。ガイド部の機能は、天面板１７をスライドさせる際に、ファンモータ支持板１６と天面板１７とが左右方向Ｗで相対的に位置決めされることである。ガイド部によって、ファンモータ支持板１６と天面板１７とが相対的に左右方向に位置決めされることで、ファンモータ支持板１６のファンモータ支持板側嵌合部１６ｃと天面板１７の天面板側嵌合部１７ｂ、および天面板固定用ネジ穴１６ｅとファンモータ支持板ネジ穴１７ｅが左右方向に位置合わせされる。
【００６０】
この発明の実施の形態３では、上記の機能を有するガイド部の他の構成について説明する。図１０は、この発明の実施の形態３に係り、ガイド部の構成例を示し、ファンモータ支持板１６の上端部に天面板１７を嵌合させた状態を示す正面図である。図１０に示す構成例では、２つのガイド部１６ｈをネジ固定片１７ｃの固定位置の左側と右側に設けている。このガイド部１６ｈも、支柱前平面１６ｊに設けられて前面側に突出する構成である。このように構成しても、天面板１７のスライド時にネジ固定片１７ｃの左右方向Ｗの移動を規制でき、ネジ穴１６ｅ、１７ｅの位置決めを行うことができる。このガイド部１６ｈは、支柱前平面１６ｊを前面側に絞って凸形状になるように変形させて構成している。
【００６１】
なお、支柱前平面１６ｊに設けた、天面板１７の左右方向Ｗの移動を規制するガイド部は、支柱前平面１６ｊのネジ固定片１７ｃを固定する平面から前面側に突出していればよい。図７のガイド部１６ｆのように、支柱前平面１６ｊの一部を切り起こして形成してもよいし、図１０のガイド部１６ｈのように、切り起こさずに支柱前平面１６ｊを絞って変形させて構成してもよい。ただし、ガイド部１６ｆのように切り起こしてガイド部を形成すると、支柱部１６ｂにガイド部切り起こし穴１６ｇができる。支柱部１６ｂに前後方向に貫通するガイド部切り起こし穴１６ｇを設けることで、その穴１６ｇから熱交換器１２で熱交換された空気が前面側に通り抜け易くなり、熱交換の効率が改善される。このため、熱交換効率を考慮すると、切り起こしによって前面側に凸になるように形成するのが望ましい。
【００６２】
一方、ガイド部切り起こし穴１６ｇの形成によってファンモータ取付台１５の強度が不足するようであれば、ガイド部１６ｈのように絞って変形されるのが望ましい。
【００６３】
ガイド部は、支柱前平面１６ｊのネジ固定片１７ｃが配置される外形の少なくとも左右に設けられることで、ネジ固定片１７ｃの左右方向の移動を規制することができる。図７に示したガイド部１６ｆはネジ固定片１７ｃの下端部の略半円形状の外形に沿って、下端部の少なくとも左右に形成されている。例えばネジ固定片１７ｃの下端部の形状が角形状である場合には、図１０のガイド部１６ｈのように、ネジ固定片１７ｃの外形の左右に沿って設ければよい。
【００６４】
以下、ガイド部の他の構成例として、ガイド部を天面板１７に設けた構成について説明する。図１１は実施の形態３に係るガイド部の構成を示す説明図である。図１１は、ファンモータ支持板１６と天面板１７の嵌合する動きを上面から示す説明図である。図１１では、ファンモータ支持板側嵌合部１６ｃの左右方向Ｗの長さＬ１とこれに嵌合する天面板側嵌合部１７ｂの左右方向Ｗの長さＬ２を略同一とする。図４の構成と同様、ファンモータ支持板側嵌合部１６ｃは、断面がＬ字状で、前面側と左右両側に開口する形状である。この天面板３の背面側端部に設けたガイド部１７ｆは、天面板側嵌合部１７ｂの両側から背面側に更に伸び、天面板側嵌合部１７ｂから天面板１７の背面端１７ｇに向かって徐々に幅が広くなるように、互いに逆方向に傾斜してなる。
【００６５】
天面板１７が矢印Ｆ方向にスライドするとき、ファンモータ支持板側嵌合部１６ｃの断面が略Ｌ字状の立ち上がった部分であって左右方向Ｗの両端が、ガイド部１７ｆの傾斜で誘導され、左右方向Ｗでしだいに天面板側嵌合部１７ｂに位置合わせされて嵌合する。このため、嵌合部１６ｃ，１７ｂは上下方向の移動を規制されると共に、左右方向Ｗの移動が規制されて位置決めされる。この状態で、ネジ固定片１７ｃのファンモータ支持板固定用ネジ穴１７ｅと天面板固定用ネジ穴１６ｅを、略一致する位置にそれぞれ設けておけばよい。この構成では、ファンモータ支持板１６に対して天面板１７をスムーズにスライドさせることができ、かつ上下方向及び左右方向Ｗに位置合わせされることで、取付作業効率を向上できる。また、図７に示すようなファン支持板１６の支柱部１６ｂに設けていたガイド部１６ｆや、図１０に示すようなガイド部１６ｈを設ける必要がなくなり、板金部品形状および金型の簡素化が図れる。
【００６６】
また、ガイド部の他の構成について説明する。図１１に示す天面パネル３に平行な平面、即ち支柱水平面１６ｍと天面板水平面１７ｍにおいて、支柱水平面１６ｍの左右方向Ｗの長さ（横幅）を天面板水平面１７ｍの左右方向Ｗの長さ（横幅）よりも若干長くして、ファンモータ支持板１６の前面側両端部１６ｎが天面板１７の背面側両端部１７ｈから両側にそれぞれはみ出るように構成する。そして、ファンモータ支持板１６のはみ出た部分の前面側両端部１６ｎに、支柱水平面１６ｍから上方（天面パネル３側）に突出する凸部を設けて、その凸部をガイド部としてもよい。ファンモータ支持板１６の前面側両端部１６ｎに設けた凸部に沿って、天面板１７の背面側両端部１７ｈがスライドすることで、ファンモータ支持板１６に対して天面板１７の左右方向Ｗの移動を規制することができる。この凸部は支柱水平面１６ｍの前面側両端部１６ｎの角部を上方に切り起こして形成すればよい。
【００６７】
また、逆に、図１１に示す天面パネル３に平行な平面において、天面板水平面１７ｍの左右方向Ｗの長さ（横幅）を支柱水平面１６ｍの左右方向Ｗの長さ（横幅）よりも若干長くして、天面板１７の背面側両端部１７ｈがファンモータ支持板１６の前面側両端部１６ｎから両側にそれぞれはみ出るように構成する。そして、天面板１７のはみ出た部分の背面側両端部１７ｈに、天面板水平面１７ｍよりも下方に突出する凸部を設けて、その凸部をガイド部としてもよい。天面板１７の背面側両端部１７ｈに設けた凸部に沿って、ファンモータ支持板１６の前面側両端部１６ｎがスライドすることで、ファンモータ支持板１６に対して天面板１７の左右方向Ｗの移動を規制することができる。この凸部も天面板水平面１７ｍの背面側両端部１７ｈの角部を下方に切り起こして形成すればよい。
【００６８】
実施の形態３で示したように、ガイド部は、ファンモータ支持板１６に設けてもよく、また天面板１７に設けてもよい。ファンモータ支持板１６に対して天面板１７がスライドする際に、天面板１７のネジ固定部１７ｃおよび嵌合部１７ｂおよび天面板水平面１７ｍの背面側両端部１７ｈのうちの少なくとも１つが、ファンモータ支持板１６に対して左右方向Ｗの移動を規制されて位置決めされるように、ガイド部を構成すればよい。
【００６９】
実施の形態４．
この発明の実施の形態４では、室外機内部の熱交換効率の改善に関する構成について説明する。図１２は、実施の形態４に係り、ファンモータ支持板１６の上端部に天面板１７を仮固定した状態を前面側から示す正面図である。ファンモータ支持板１６の支柱前平面１６ｊにおけるネジ固定片１７ｃの左右の両側に通気穴１９を設けている。この通気穴１９は、支柱前平面１６ｊに設けられ、支柱前平面１６ｊを前後に貫通する穴である。
【００７０】
室外機の送風機室４では、室外機の背面側から取り込まれた外気が、熱交換器１２で熱交換されて、前面側に送風され前面パネル１に設けられた吹出口から室外機外に流出する。このため、送風機室４は前後方向に空気が流れやすい方が熱交換器１２の熱交換効率がよい。図１２で示す通気穴１９によって、室外機の送風機室４の通気性がよくなり、熱交換器１２で熱交換された空気が前面側に通り抜けやすく、熱交換効率が改善される。
【００７１】
なお、ネジ固定片１７ｃの固定位置の周囲や、周囲以外にも、支柱部１６ｂの他の部材の支持に寄与しない部分に、強度的に問題ない範囲で、空気を背面側から前面側に通過させる通気穴を設ければ、熱交換器１２の熱交換効率が改善される。
【００７２】
さらに熱交換効率を改善する構成を図１３に示す。図１３は、ファンモータ支持板１６の上端部と天面板１７を拡大して示す分解斜視図である。図１３に示すように、支柱前平面１６ｊには下方に向けて突出する支柱部側ネジ固定片２４が設けられ、それ以外の支柱前平面１６ｊには前後を貫通する通気穴１９が形成されている。支柱部側ネジ固定片２４は、ネジ固定片１７ｃが固定される位置に略一致して、ネジ固定片１７ｃとほぼ同じ形で同じ大きさで形成され、支柱部側ネジ固定片２４の左右両側及び下側は全て通気穴１９とする。このように大きな通気穴１９を設けると、送風機室４の前後方向の通気性がよくなり、さらに熱交換器１２の熱交換効率を上げることができる。
【００７３】
なお、この構成では、支柱部側ネジ固定片２４を天面板１７のネジ固定片１７ｃよりも左右方向の両側に大きくし、支柱部側ネジ固定片２４の大きくした部分の左右両側の外縁部２４ａを前面側に折り返して突出させガイド部としてもよい。この構成では、天面板１７をスライドさせるとき、支柱部側ネジ固定片２４の外縁部２４ａに設けた折り返し縁に、ネジ固定片１７ｃの外形がスライドすることで天面板１７の移動方向が誘導される。そして、ガイド部の内側にネジ固定片１７ｃが位置することで、ファンモータ支持板１６に対して天面板１７の左右方向の移動が規制されて仮固定される。
【００７４】
また逆に、天面板１７のネジ固定片１７ｃを支柱部側ネジ固定片２４よりも左右方向の両側に大きくし、ネジ固定片１７ｃの大きくした左右両側の部分で、外縁部を背面側に折り返して突出させガイド部としてもよい。この構成では、天面板１７をスライドさせるとき、ネジ固定片１７ｃの外縁部に設けた折り返し縁に、支柱部側ネジ固定片２４の外縁部２４ａがスライドすることで天面板１７の移動方向が誘導される。そして、ガイド部の内側に支柱部側ネジ固定片２４が位置することで、ファンモータ支持板１６に対して天面板１７の左右方向の移動が規制されて仮固定される。
【００７５】
この実施の形態の構成で、図１３において、ガイド部は、ネジ固定片１６ｃの周囲、嵌合部１６ｃ、１７ｂの周囲、ファンモータ支持板１６の上面側両端部１６ｎ、天面板１７の背面側両端部１７ｈなどに設ければよい。ファンモータ支持板１６に対して天面板１７をスライドさせる際に、ガイド部によって、天面板１７の左右方向の移動が規制され、ファンモータ支持板側嵌合部１６ｃと天面板側嵌合部１７ｂ、および天面板固定用ネジ穴１６ｅとファンモータ支持板ネジ穴１７ｅの左右方向の位置がほぼ一致するように位置決めされればよい。
【００７６】
また、実施の形態１〜実施の形態４では、嵌合部は１つとしたが、複数でもよい。例えば、正面側から見て、左右に距離を離して２つの嵌合部を設ければ、天面板１７はさらに左右方向に安定して保持される。また、ネジ穴１６ｅ，１７ｅ及びネジ固定片１７ｃも１つでなく、左右方向に所定の間隔をあけて複数設けてもよい。
【００７７】
また、実施の形態１〜実施の形態４では、熱交換器上端固定部１６ｄが、ファンモータ支持板１６の背面側にファンモータ支持板１６と一体で形成されているが、これに限るものではない。熱交換器上端固定部１６ｄはファンモータ支持板１６とは別体で構成されていてもよい。即ち、上下方向に伸びるファンモータ支持板１６と、背面方向に伸びる熱交換器上端固定部１６ｄと、前面方向に伸びる天面板１７の３つの部分でファンモータ取付台１５を構成し、室外機の組立作業工程でそれぞれをネジ固定してもよい。この場合には、３つの部品のそれぞれの形状が直線的で一方向に伸びる形状となり、さらにファンモータ取付台１５の輸送時及び組立ラインでのデリバリー性を良好にできる。
【００７８】
また、実施の形態１〜実施の形態４では、支柱１６ｉの上端部から背面側に突出する水平面で支柱水平面１６ｍを形成しているが、前面側に突出する水平面で構成してもよい。例えば図４において、ファンモータ支持板１６の支柱水平面１６ｍが、支柱１６ｉの上端部から前面側に突出して形成されていてもよい。即ち、支柱水平面１６ｍを、複数の支柱１６ｉの上端部間を接続し、かつ支柱１６ｉから前方に伸びる水平面で形成する。そして、支柱１６ｉよりも前面側で、支柱水平面１６ｍから下方に略垂直に曲がって、前面パネル１に対向する平面を支柱前平面１６ｊとする。このような構成でも、支柱水平面１６ｍに設けたファンモータ支持板側嵌合部１６ｃによって天面板１７の背面側端部を嵌合させ、支柱前平面１６ｊの前面側で、天面板１７に設けたネジ固定片１７ｃと接するように仮固定すれば、上記と同様、安定してファンモータ支持板１６に天面板１７を仮固定できる。
【００７９】
以上のように、この発明によれば、筐体内に、背面側に配置される熱交換器１２と、熱交換器１２の前面に配置され筐体の背面側から前面側に送風する送風ファン１３と、熱交換器１２と送風ファン１３の間に配置されて送風ファン１３を駆動するファンモータ１４と、ファンモータ１４を固定するファンモータ取付台１５と、を備え、ファンモータ取付台１５は、筐体の底面部を構成する底板８に下端部が固定されると共に、筐体の天面に向かって略鉛直方向に設けられ、鉛直方向の途中でファンモータ１４を支持するファンモータ支持板１６と、ファンモータ支持板１６の上端部と筐体の前面部を構成する前面パネル１とを接続固定する天面板１７と、により構成され、ファンモータ支持板１６には、底板８から略鉛直方向に伸びる複数の支柱１６ｉと、支柱１６ｉの上端部間を接続しかつ支柱１６ｉの上端部から前後方向に突出する支柱水平面１６ｍと、支柱水平面１６ｍから下方に略垂直に曲がって前面パネル１に対向する平面である支柱前平面１６ｊと、支柱水平面１６ｊに設けられ天面板１７の背面側端部１７ｂと嵌合する嵌合部１７ｃと、支柱前平面１６ｊに設けられ天面板１７を固定するネジ穴１６ｅと、が形成され、天面板１７には、支柱前平面１６ｊに平行かつ下方に伸びる形状で、ネジ穴１６ｅの前面側の略同じ位置にネジ穴１７ｅを設けたネジ固定片１７ｃが形成され、ファンモータ支持板１６の嵌合部１６ｃが天面板１７の背面側端部１７ｂと嵌合すると共に、ファンモータ支持板１６の支柱前平面１６ｊの前面側に天面板１７のネジ固定片１７ｃが位置することにより、天面パネル３の上方から大きな荷重がかかっても天面パネル３が変形するのを防止できると共に、ファンモータ取付台１５の取付作業性が向上し、生産性を高めることが可能な空気調和機の室外機を提供することができる。
【００８０】
また、支柱前平面１６ｊは支柱１６ｉの上端部間を接続する平面であり、支柱水平面１６ｍは支柱前平面１６ｊの上端部から背面側に突出し、さらにその背面端に熱交換器の上端部を固定する熱交換器上端固定部１６ｄを備えたことにより、天面パネル３の上方から大きな荷重がかかっても天面パネル３が変形するのを防止できると共に、ファンモータ取付台１５の取付作業性が向上し、生産性を高めることが可能な空気調和機の室外機を提供することができる。
【００８１】
また、嵌合部１６ｃは、支柱水平面１６ｍの左右方向の中央部分を断面Ｌ字状に切り起こして、立ち上がり部１６ｑと水平板片１６ｐを成すと共に立ち上がり部１６ｑ以外の前面側と左右両側に開口を有する形状であり、天面板１７の背面側端部１７ａが水平板片１６ｐの下側に位置されることで、天面板１７の上下方向の移動が規制されることにより、ファンモータ支持板１６に天面板１７を取り付ける取付作業性が向上し、生産性を高めることが可能な空気調和機の室外機を提供することができる。
【００８２】
また、ファンモータ支持板１６に、ファンモータ支持板１６に対して天面板１７の左右方向の移動を規制するガイド部１６ｆ，１６ｈを備えたことにより、ファンモータ支持板１６に対する天面板１７の左右方向の移動が規制され、ファンモータ支持板１６に天面板１７を取り付ける取付作業性が向上し、生産性を高めることが可能な空気調和機の室外機を提供することができる。
【００８３】
また、天面板１７に、ファンモータ支持板１６に対して天面板１７の左右方向の移動を規制するガイド部１７ｆを備えたことにより、ファンモータ支持板１６に対する天面板１７の左右方向の移動が規制され、ファンモータ支持板１６に天面板１７を取り付ける取付作業性が向上し、生産性を高めることが可能な空気調和機の室外機を提供することができる。
【００８４】
また、ガイド部１６ｆ、１６ｈは、ファンモータ支持板１６の支柱前平面１６ｊで、その前面側に配置されるネジ固定片１７ｃの外形の少なくとも左右に設けられ、前面側に突出する形状であって、左右のガイド部１６ｆ，１６ｈの間にネジ固定片１７ｃを配置させることでネジ固定片１７ｃの左右方向の移動を規制して、ファンモータ支持板１６に対して天面板１７の左右方向の移動を規制することにより、ファンモータ支持板１６に天面板１７を取り付ける取付作業性が向上し、生産性を高めることが可能な空気調和機の室外機を提供することができる。
【００８５】
また、ガイド部１６ｆは、支柱前平面１６ｊを前面側に切り起こして形成されるので、簡単な構成で、天面板１７の左右方向の移動を規制して取付作業性が改善されると共に、ガイド部切り起こし穴１６ｇによって室外機の送風機室４の通気性をよくでき、熱交換器１２の熱交換効率が向上できる空気調和機の室外機を提供することができる。
【００８６】
また、天面板１７をファンモータ支持板１６の嵌合部１６ｃに嵌合した状態で、ネジ固定片１７ｃが天面板１７の最も下方に位置することにより、作業者が前面側からネジ穴１７ｅ、１６ｅを見ながらネジ固定が可能となることで、取付作業性が改善し、生産性をさらに高めることが可能な空気調和機の室外機を提供することができる。
【００８７】
また、ネジ固定片１７ｃが配置される付近の支柱前平面１６ｊに、支柱前平面１６ｊを貫通する通気穴１９を設けたことにより、室外機の送風機室の通気性をよくでき、熱交換器１２の熱交換効率を向上できる空気調和機の室外機を提供することができる。
【符号の説明】
【００８８】
１  前面パネル、２  側面パネル、３  天面パネル、４  送風機室、５  機械室、６  セパレータ、７  脚部、８  底板、９  圧縮機、１０  冷媒配管、１１  電気品、１２  熱交換器、１２ａ  側面側平面部、１２ｂ  角部、１２ｃ  背面側平面部、１３  送風ファン、１４  ファンモータ、１５  ファンモータ取付台、１５ａ  モータ支持面、１６  ファンモータ支持板、１６ａ  底板取付部、１６ｂ  支柱部、１６ｃ  ファンモータ支持板側嵌合部、１６ｄ  熱交換器上端固定部、１６ｅ  天面板固定用ネジ穴、  １６ｆ  ガイド部、１６ｇ  ガイド部切り起こし穴、１６ｈ  ガイド部、１６ｉ  支柱、１６ｊ  支柱前平面、１６ｋ  支柱支え、１６ｍ  支柱水平面、１６ｎ  ファンモータ支持板の前面側両端部、１６ｐ  Ｌ字状水平板片、１６ｑ  Ｌ字状立ち上がり部、１７  天面板、１７ａ  嵌合部背面側端面、１７ｂ  天面板側嵌合部、１７ｃ  ネジ固定片、１７ｄ  前面パネル固定用ネジ穴、１７ｅ  ファンモータ支持板固定用ネジ穴、１７ｆ  ガイド部、１７ｇ  背面端、１７ｈ  天面板の背面側両端部、１７ｍ  天面板水平面、１８  緩衝材、１９  通気穴、２０  ファンモータ支持板側嵌合部、２０ａ  嵌合部挿入穴、２１  天面板側嵌合部、２２  ファンモータ支持板側嵌合部、２２ａ  Ｊ字状折り返し片、２２ｂ  嵌合部切り起こし穴、  ２３  天面板側嵌合部、２３ａ  Ｌ字状折り返し片、２４  支柱部側ネジ固定片、２４ａ  外縁部。
【図１】
0005929850.tif 000002
【図２】
0005929850.tif 000003
【図３】
0005929850.tif 000004
【図４】
0005929850.tif 000005
【図５】
0005929850.tif 000006
【図６】
0005929850.tif 000007
【図７】
0005929850.tif 000008
【図８】
0005929850.tif 000009
【図９】
0005929850.tif 000010
【図１０】
0005929850.tif 000011
【図１１】
0005929850.tif 000012
【図１２】
0005929850.tif 000013
【図１３】
0005929850.tif 000014